(57)【要約】【課題】レール素材としてチタン合金を用いた場合でもボルト通し孔を挿通するボルトの締付力によって転動体軌道溝に変形が生じたりすることを防止することのできるリニアガイド用案内レールを提供する。【解決手段】チタン合金からなるレール本体１５の上面に複数の座ぐり穴１７を有し、これら座ぐり穴１７の底面中央部にボルト通し孔１８を穿設したリニアガイド用案内レールであって、座ぐり穴１７の深さをレール本体１５の高さの０．６倍以上とする。【選択図】  図１
2005069263.tif 000002
【特許請求の範囲】
【請求項１】
チタン合金からなるレール本体の上面に複数の座ぐり穴を有し、これら座ぐり穴の底面中央部にボルト通し孔を穿設したリニアガイド用案内レールにおいて、
前記レール本体の高さを１としたとき、前記座ぐり穴の深さを０．６以上としたことを特徴とするリニアガイド用案内レール。
【請求項２】
請求項１記載のリニアガイド用案内レールにおいて、前記レール本体の下面に複数の穴部を設け、この穴部の底面中央部にボルト通し孔を穿設したことを特徴とするリニアガイド用案内レール。
【請求項３】
請求項１記載のリニアガイド用案内レールにおいて、前記レール本体の高さ方向に貫通する複数のタップ孔を前記レール本体に設けたことを特徴とするリニアガイド用案内レール。
【請求項４】
請求項１乃至３のいずれかに記載のリニアガイド用案内レールを用いてなることを特徴とするリニアガイド。
【発明の詳細な説明】
【０００１】
【発明の属する技術分野】
本発明は、直線運動する物体をその移動方向に案内するリニアガイドの案内レールに関するものであり、特に、チタン合金からなる案内レールの改良に関する。
【０００２】
【従来の技術】
直線運動する物体をその移動方向に案内する機械部品として、各種の産業機械で用いられるリニアガイドは、図３に示すように、案内レール１１と、この案内レール１１の長手方向に相対移動するスライダ１２とを備えており、案内レール１１の左右両側面には、スライダ１２内に組み込まれた転動体としてのボール１３を案内レール１１の長手方向に転動させるための転動体軌道溝１６が形成されている。
【０００３】
このようなリニアガイドの案内レールはレール本体の上面に複数の座ぐり穴１７をレール本体の長手方向に一定間隔で形成して構成されており、各座ぐり穴１７の底面中央部には、レール固定用ボルトを通すためのボルト通し孔１８が穿設されている。また、このような案内レールは、通常、高炭素クロム軸受鋼、肌焼鋼などの鉄鋼材料で形成されているが、耐食性や非磁性が要求される場合には、レール素材としてチタン合金が用いられることもある。
【０００４】
【発明が解決しようとする課題】
しかしながら、ステンレス鋼からなる案内レールは弾性係数が約２００ＧＰａであるのに対し、チタン合金からなる案内レールは、弾性係数が約１１０Ｇｐａであり、ステンレス鋼からなる案内レールに比べて弾性係数が約１／２と小さい。このため、座ぐり穴の深さをステンレス鋼からなる案内レールの座ぐり穴と同じ深さにすると、ボルト通し孔を挿通するボルトの締付力によって転動体軌道溝に変形が生じたりする虞があった。
本発明は、このような問題点に着目してなされたものであり、レール素材としてチタン合金を用いた場合でもボルト通し孔を挿通するボルトの締付力によって転動体軌道溝に変形が生じたりすることを防止することのできるリニアガイド用案内レールを提供することを目的とする。
【０００５】
【課題を解決するための手段】
上記の目的を達成するために、請求項１の発明は、チタン合金からなるレール本体の上面に複数の座ぐり穴を有し、これら座ぐり穴の底面中央部にボルト通し孔を穿設したリニアガイド用案内レールにおいて、前記レール本体の高さを１としたとき、前記座ぐり穴の深さを０．６以上としたことを特徴とするものである。
【０００６】
請求項２の発明は、請求項１記載のリニアガイド用案内レールにおいて、前記レール本体の下面に複数の穴部を設け、この穴部の底面中央部にボルト通し孔を穿設したことを特徴とするものである。
請求項３の発明は、請求項１記載のリニアガイド用案内レールにおいて、前記レール本体の高さ方向に貫通する複数のタップ孔を前記レール本体に設けたことを特徴とするものである。
請求項４の発明に係るリニアガイドは、請求項１乃至３のいずれかに記載のリニアガイド用案内レールを用いてなることを特徴とするものである。
【０００７】
【発明の実施の形態】
以下、本発明の実施の形態について図面を参照して説明する。
図１は本発明の第１の実施形態を示す図で、（ａ）は本発明の第１の実施形態に係るリニアガイド用案内レールの側面図、（ｂ）は同実施形態に係るリニアガイド用案内レールを研削盤のマグネットチャック上に固定した状態を示す図である。同図において、符号１５はチタン合金からなるレール本体１５はレール本体１５の左右側面に形成された転動体軌道溝であり、レール本体１５の上面１５ａには、複数の座ぐり穴１７がレール本体１５の長手方向に一定間隔で形成されている。これらの座ぐり穴１７はレール本体１５の高さをＨとすると０．６Ｈ以上の深さでレール本体１５の上面１５ａに形成されており、各座ぐり穴１７の底面中央部には、レール取付け用ボルトを通すためのボルト通し孔１８が穿設されている。
【０００８】
一方、レール本体１５の下面１５ｂには、複数の穴部１９がボルト通し孔１８とピッチをずらして形成されている。これら穴部１９の底面中央部にはボルト通し孔２０が穿設されており、これらのボルト通し孔２０には、レール本体１５を研削盤のマグネットチャック２１上にレール固定用治具２２を介して固定するためのボルト２３が挿通されるようになっている。
【０００９】
このように構成されるリニアガイド用案内レールでは、座ぐり穴１７の深さをレール本体１５の高さの０．６倍以上としたことにより、ボルト通し孔１８の軸方向長さをレール本体１５の高さの０．４倍以下に抑えることができる。これにより、ボルトの締付力に対する剛性が向上するので、レール素材としてチタン合金を用いた場合でもボルト通し孔１８を挿通するボルトの締付力によって転動体軌道溝１６に変形が生じたりすることを防止することができる。
【００１０】
また、レール本体１５の下面１５ｂに複数の穴部１９を設け、これら穴部１９の底面中央部に研削盤取付け用のボルト通し孔２０を穿設したことにより、レール本体１５の下面１５ｂを研削盤で研削する際にレール本体１５を十分な強度で研削盤に固定することができ、これにより、レール本体１５の下面１５ｂを高精度に研削加工することができる。すなわち、座ぐり穴１７の深さをレール本体１５の高さの０．６倍以上にすると、図４に示すように、レール本体１５の下面１５ｂを研削加工するときに使用するタップ穴２４の深さが浅くなり、固定力が不足して加工精度の低下を招く虞があるが、本実施形態では穴部１９およびボルト通し孔２０を利用してレール本体１５を研削盤に固定できるので、座ぐり穴１７の深さをレール本体１５の高さの０．６倍以上にしてもレール本体１５の下面１５ｂを精度よく研削加工することができる。
【００１１】
なお、上述した第１の実施形態ではレール本体１５の下面１５ｂに複数の穴部１９を設け、これら穴部１９の底面中央部に穿設されたボルト通し孔２０を利用してレール本体１５を研削盤に固定するようにしたが、図２に示す第２の実施形態のように、レール本体１５の高さ方向に貫通する複数のタップ孔２４をレール本体１５に設け、これらのタップ孔２４を利用してレール本体１５を研削盤に固定するようにしてもよい。
【００１２】
【発明の効果】
以上説明したように、請求項１の発明に係るリニアガイド用案内レールによれば、座ぐり穴の深さをステンレス鋼からなる案内レールの座ぐり穴と同じ深さにした場合に比べてボルトの締付力に対する剛性が向上するので、レール素材としてチタン合金を用いた場合でもボルト通し孔を挿通するボルトの締付力によって転動体軌道溝に変形が生じたりすることを防止することができる。
請求項２及び３の発明に係るリニアガイド用案内レールによれば、上述した効果に加え、レール本体の下面を研削盤で研削する際にレール本体を十分な強度で研削盤に固定できるので、レール本体の下面を高精度に研削加工することができる。
【図面の簡単な説明】
【図１】本発明の第１の実施形態を示す図で、（ａ）は本発明の第１の実施形態に係るリニアガイド用案内レールの側面図、（ｂ）は同実施形態に係るリニアガイド用案内レールを研削盤のマグネットチャック上に固定した状態を示す図である。
【図２】本発明の第２の実施形態を示す図で、（ａ）は本発明の第２の実施形態に係るリニアガイド用案内レールの側面図、（ｂ）は同実施形態に係るリニアガイド用案内レールを研削盤のマグネットチャック上に固定した状態を示す図である。
【図３】リニアガイドを示す図で、（ａ）はリニアガイドの平面図、（ｂ）はリニアガイドの側面図である。
【図４】リニアガイドの案内レールを示す図で、（ａ）は案内レールの側面図、（ｂ）は案内レールを研削盤のマグネットチャック上に固定した状態を示す図である。
【符号の説明】
１１    案内レール
１２    スライダ
１３    ボール
１５    レール本体
１６    転動体軌道溝
１７    座ぐり穴
１８    ボルト通し孔
１９    穴部
２０    ボルト通し孔
２１    マグネットチャック
２２    レール固定用治具
２３    ボルト
２４    タップ孔
【図１】
2005069263.tif 000003
【図２】
2005069263.tif 000004
【図３】
2005069263.tif 000005
【図４】
2005069263.tif 000006